(57)【要約】      （修正有）【課題】表皮材の固定力が高く、固定するための溝の幅を狭くすることができ、一方の表皮材に対して他方の表皮材を取り外すことが可能な表皮材固定構造及び表皮材剥がし治具を提供する。【解決手段】自動車の座席等の発泡成形体１０の一部を覆う第１表皮材２０ａの端部２１ａと、発泡成形体の別の部分を覆う第２表皮材２０ｂの端部２１ｂとを、発泡成形体に設けた固定溝３０に取り外し可能に固定する。第１表皮材と第２表皮材の端部２１ａ、２１ｂ同士は互いに独立して固定溝３０から取り外し可能なように非連結状態となっている。固定溝は、互いに向かい合う第１及び第２側面３１と、第１及び第２側面の下端間に延びる底面３２とを有する。第１及び第２側面には、複数のフック４４ａ、４４ｂを有する面ファスナー４１、４２が固着される。複数のフックそれぞれは、フック基部とフック基部から底面３２に向かって延びるフック頭部とを有する。【選択図】図２
0003199332.tif 000002
【実用新案登録請求の範囲】
【請求項１】
発泡成形体（１０）の一部を覆う第１表皮材（２０ａ）の端部（２１ａ）と、前記発泡成形体（１０）の別の部分を覆う第２表皮材（２０ｂ）の端部（２１ｂ）とを、前記発泡成形体（１０）に設けた固定溝（３０）に取り外し可能に固定するための表皮材固定構造であって、
前記第１表皮材（２０ａ）と前記第２表皮材（２０ｂ）の端部（２１ａ、２１ｂ）同士は互いに独立して固定溝（３０）から取り外し可能なように非連結状態となっており、
前記固定溝（３０）は、互いに向かい合う第１及び第２側面（３１）と、第１及び第２側面（３１）の下端間に延びる底面（３２）とを有し、前記第１及び第２側面（３１）には、複数のフック（４４ａ、４４ｂ）を有する面ファスナー（４１、４２）が固着され、  前記複数のフック（４４ａ、４４ｂ）それぞれは、フック基部（４４ｃ）とフック基部（４４ｃ）から前記底面（３２）に向かって延びるフック頭部（４４ｄ）とを有し、前記第１及び第２表皮材（２０ａ、２０ｂ）それぞれの前記端部（２１ａ、２１ｂ）には、前記フック（４４ａ、４４ｂ）と係合可能な複数のループ（４５ａ、４５ｂ）が設けられることを特徴とする表皮材固定構造。
【請求項２】
前記固定溝（３０）内において前記第１及び第２表皮材（２０ａ、２０ｂ）それぞれの前記端部（２１ａ、２１ｂ）が面接触することを特徴とする請求項１に記載の表皮材固定構造。
【請求項３】
前記第１及び第２表皮材（２０ａ、２０ｂ）それぞれの前記端部（２１ａ、２１ｂ）の、前記面ファスナー（４１、４２）とは反対側の面における前記底面（３２）側に取り外し用の複数のループ（４５ｃ、４５ｄ）が設けられることを特徴とする請求項１又は２に記載の表皮材固定構造。
【請求項４】
前記第２表皮材（２０ｂ）は前記第１表皮材（２０ａ）と異なるものであることを特徴とする請求項１又は２に記載の表皮材固定構造。
【請求項５】
前記発泡成形体（１０）は座席（１）であることを特徴とする請求項１又は２に記載の表皮材固定構造。
【請求項６】
請求項１に記載の表皮材固定構造によって固定された状態の前記第１及び第２表皮材（２０ａ、２０ｂ）の少なくとも一方を取り外すための表皮材剥がし治具（５０）であって、
前記固定溝（３０）内の第１表皮材（２０ａ）の端部（２１ａ）と第２表皮材（２０ｂ）の端部（２１ｂ）の間で、固定溝（３０）の長手方向に沿ってスライド移動可能である治具基部（５２）と、前記固定溝（３０）内の第１又は第２表皮材（２０ａ、２０ｂ）の端部（２１ａ、２１ｂ）と、この端部（２１ａ、２１ｂ）のループ（４５ａ、４５ｂ）に係合する前記面ファスナー（４１、４２）のフック（４４ａ、４４ｂ）との間に挿入可能であるループ剥がし部（５３）と、前記治具基部（５２）の下端とループ剥がし部（５３）の下端とを連結し、ループ剥がし部（５３）によって面ファスナー（４１、４２）から剥がされた第１又は第２表皮材（２０ａ、２０ｂ）の端部（２１ａ、２１ｂ）を固定溝（３０）外に案内するガイド部（５４）とを備えることを特徴とする表皮材剥がし治具。
【請求項７】
請求項３に記載の表皮材固定構造によって固定された状態の前記第１及び第２表皮材（２０ａ、２０ｂ）の少なくとも一方を取り外すための表皮材剥がし治具（６０）であって、
前記固定溝（３０）内の第１表皮材（２０ａ）の端部（２１ａ）と第２表皮材（２０ｂ）の端部（２１ｂ）との間に挿入可能である治具基部（６２）を備え、
前記治具基部（６２）は、前記第１及び第２表皮材（２０ａ、２０ｂ）それぞれの前記端部（２１ａ、２１ｂ）において前記取り外し用のループ（４５ｃ、４５ｄ）が設けられている領域に対面可能であるフック配置領域（６４）を有し、
前記フック配置領域（６１）には、前記治具基部（６２）の挿入端側に少なくとも一つの第１治具フック（６３ａ）が設けられると共に、前記第１治具フック（６３ａ）よりも前記治具基部（６２）の挿入端から離れた側に少なくとも一つの第２治具フック（６３ｂ）が設けられ、
前記第１治具フック（６３ａ）は、フック基部と、フック基部から治具挿入方向の反対側に向かって延びるフック頭部とを有し、
前記第２治具フック（６３ｂ）は、フック基部と、フック基部から治具挿入方向に延びるフック頭部とを有することを特徴とする表皮材剥がし治具。
【考案の詳細な説明】
【技術分野】
【０００１】
本考案は、表皮材固定構造及び表皮材剥がし治具に関し、更に詳しくは、自動車の座席等に使用される表皮材を取り外し可能に固定するための構造と、この構造によって固定された表皮材を取り外す際に使用する表皮材剥がし治具に関する。
【背景技術】
【０００２】
自動車の座席は、一般に、発泡性樹脂から成形したクッション体と、このクッション体の外表面を覆う、合成皮革、天然皮革等からなる外皮材とから基本的に構成される。また、近年、クッション体を色や素材の異なる複数種類の表皮材で覆い、これら表皮材をユーザやディーラ等が取り替えることができる表皮材取り付け仕様が要望されている。これを実現し得る技術として、米国特許第７，４８２，４８９号明細書は、クッション体の成形時に、第１凹部と第２凹部を規定するクリップをクッション体に埋め込むと共に、第１及び第２凹部をクッション体の外部に開放するための溝をクッション体に設け、第１表皮材の端部に第１凹部とスナップ嵌めできる取り付け部材を、第２表皮材の端部に第２凹部とスナップ嵌めできる取り付け部材をそれぞれ設ける技術を開示している。
【先行技術文献】
【特許文献】
【０００３】
【特許文献１】米国特許第７，４８２，４８９号明細書
【考案の概要】
【考案が解決しようとする課題】
【０００４】
しかしながら、特許文献１の技術では、表皮材の端部をクリップの凹部にスナップ嵌めするものであるため、表皮材の固定力が弱く、表皮材の端部が凹部から簡単に外れる等、信頼性に欠け、また、二つの凹部を開放するための溝の幅が広すぎ、第１表皮材と第２表皮材の接合部がすっきりせず、見苦しいとった問題があった。
【０００５】
本考案は、上記のような問題点に鑑みてなされたもので、その目的は、表皮材の固定力が高く、固定するための溝の幅を狭くすることができ、少なくとも一方の表皮材を他方の表皮材に対して簡単に取り外すことが可能な表皮材固定構造を提供することにある。
【０００６】
本考案の別の目的は、上記表皮材固定構造で固定した表皮材を取り外すための表皮材剥がし治具を提供することにある。
【課題を解決するための手段】
【０００７】
上記課題を解決するため、本考案の一側面によれば、発泡成形体の一部を覆う第１表皮材の端部と、前記発泡成形体の別の部分を覆う第２表皮材の端部とを、前記発泡成形体に設けた固定溝に取り外し可能に固定するための表皮材固定構造であって、前記第１表皮材と前記第２表皮材の端部同士は互いに独立して固定溝から取り外し可能なように非連結状態となっており、前記固定溝は、互いに向かい合う第１及び第２側面と、第１及び第２側面の下端間に延びる底面とを有し、前記第１及び第２側面には、複数のフックを有する面ファスナーが固着され、前記複数のフックそれぞれは、フック基部とフック基部から前記底面に向かって延びるフック頭部とを有し、前記第１及び第２表皮材それぞれの前記端部には、前記フックと係合可能な複数のループが設けられることを特徴とする表皮材固定構造が提供される。
【０００８】
本考案では、発泡成形体に設けた固定溝の互いに向かい合う第１及び第２側面に、複数のフックを有する面ファスナーを固着し、これら面ファスナーの各フックのフック頭部がフック基部から固定溝の底面に向かって延びるように配向する（本明細書において、フック頭部がフック基部からある方向に延びることを、フックがその方向に開口するともいう。）。他方、第１及び第２表皮材の端部（該端部とは、第１及び第２表皮材における前記固定溝に挿入する部分をいう。）の、前記面ファスナーに対面する面（裏面）に、前記フックと係合可能な複数のループを設ける。これにより、固定溝内の第１及び第２面ファスナーに第１及び第２表皮材の端部は、互いに独立して固定溝から取り外し可能なように非連結状態となり、第１及び第２表皮材の端部をそれぞれ独立に取り外し可能に固定することができる。そのため、第１又は第２表皮材をユーザやディーラ等が取り替えることができるようになる。
【０００９】
本考案において、第１表皮材と第２表皮材とは色、素材、表面形態等が同じものであっても後述するように異なっていてもよい。第１表皮材と第２表皮材が同じであっても、本考案の表皮材固定構造により、第１又は第２表皮材を取り外して洗濯した後、再度取り付けることが容易になったり、第１又は第２表皮材を取り外して、色、素材、表面形態等が異なる別の表皮材に取り替えることが可能となる。
【００１０】
本考案において、面ファスナーの各フックは、フック基部からフック頭部が固定溝の底面に向かって延び、すなわち下方に開放するため、固定溝の上方の開放口から底面に向かって第１及び第２表皮材の端部を挿入する際は、ループはフックと係合することはない。そのため、第１及び第２表皮材の端部の固定溝への挿入は円滑に行われる。しかしながら、一旦、第１及び第２表皮材の端部を固定溝に挿入した後に、第１又は第２表皮材の端部を固定溝から引き抜こうとすると、この場合はループがフックと係合するため、第１又は第２表皮材の端部は固定溝から簡単には外れない。そのため、本考案の表皮材固定構造では表皮材の固定力が高い。
【００１１】
固定溝は、発泡成形体の成形時に形成することができ、固定溝の形成時に面ファスナーを固定溝の左右の側面に固着することができる。発泡成形体に固定溝及び面ファスナーを設ける方法等については、本出願人の出願に係るＰＣＴ／ＪＰ２０１４／０５６７５４に記載されている。発泡成形体の材料としては、例えば、ポリウレタン、ポリスチレン、ポリオレフィン、フェノール樹脂、ポリ塩化ビニル、ユリア樹脂、シリコーン、ポリイミド、メラミン樹脂等の発泡性樹脂を挙げることができるが、これらに限定されるものではない。面ファスナーとしては、ポリエステル、ポリアミド、ポリオレフイン、ポリ塩化ビニル、ポリエステルエラストマー、ポリウレタン等の可撓性樹脂を溶融押出法、射出成形法等で成形した成形面ファスナーを好ましく用いることができるが、これに限定されるものではなく、編織面ファスナー等を用いることもできる。
【００１２】
本考案において、発泡成形体は、自動車、電車等の車両の座席用のクッション体であるが、これに限定されるものではなく、例えば、マッサージチェア等に用いられてもよい。
【００１３】
本考案の一実施形態において、前記固定溝内において前記第１及び第２表皮材それぞれの前記端部が面接触することを特徴とする。この場合、固定溝の幅を狭くすることでき、第１表皮材と第２表皮材の接合部をすっきりした外観にすることができる。
【００１４】
本考案の一実施形態において、前記第１及び第２表皮材それぞれの前記端部の、前記面ファスナーとは反対側の面における前記底面側に取り外し用の複数のループが設けられることを特徴とする。このような取り外し用のループを設けることにより、後述する表皮材剥がし治具（６０）による表皮材の取り外しが容易になる。
【００１５】
本考案の一実施形態において、前記第２表皮材は前記第１表皮材と異なるものであることを特徴とする。すなわち、この場合、第１表皮材と第２表皮材は、色、素材、表面形態等が異なる。このように第１及び第２表皮材の色、素材等を異ならしめることにより、座席等のデザインを多様化することができる。
【００１６】
本考案の別の側面によれば、上述した本考案に係る表皮材固定構造によって固定された状態の前記第１及び第２表皮材の少なくとも一方を取り外すための表皮材剥がし治具であって、前記固定溝内の第１表皮材の端部と第２表皮材の端部との間で、固定溝の長手方向に沿ってスライド移動可能である治具基部と、前記固定溝内の第１又は第２表皮材の端部と、この端部のループに係合する前記面ファスナーのフックとの間に挿入可能であるループ剥がし部と、前記治具基部の下端とループ剥がし部の下端とを連結し、ループ剥がし部によって面ファスナーから剥がされた第１又は第２表皮材の端部を固定溝外に案内するガイド部とを備えることを特徴とする表皮材剥がし治具が提供される。かかる治具については図４及び５に基づいて後述する。なお、一つの治具基部の両側に、ループ剥がし部及びガイド部をそれぞれ設けることにより、第１及び第２表皮材の両方を本表皮材剥がし治具により一度で固定溝から取り外すことが可能となる。
【００１７】
本考案の更に別の側面によれば、前記第１及び第２表皮材それぞれの前記端部の、前記面ファスナーとは反対側の面における前記底面側に取り外し用の複数のループを有することを特徴とする本考案に係る表皮材固定構造によって固定された状態の前記第１及び第２表皮材の少なくとも一方を取り外すための表皮材剥がし治具であって、前記固定溝内の第１表皮材の端部と第２表皮材の端部との間に挿入可能である治具基部を備え、前記治具基部は、前記第１及び第２表皮材それぞれの前記端部において前記取り外し用のループが設けられている領域に対応可能であるフック配置領域を有し、前記フック配置領域には、前記治具基部の挿入端側に少なくとも一つの第１治具フックが設けられると共に、前記第１治具フックよりも前記治具基部の挿入端から離れた側に少なくとも一つの第２治具フックが設けられ、前記第１治具フックは、フック基部と、フック基部から治具挿入方向の反対側に向かって延びるフック頭部とを有し、前記第２治具フックは、フック基部と、フック基部から治具挿入方向に延びるフック頭部とを有することを特徴とする表皮材剥がし治具が提供される。かかる治具については図６〜１０に基づいて後述する。
【考案の効果】
【００１８】
本考案に係る表皮材固定構造では、発泡成形体の固定溝の互いに向かい合う第１及び第２側面に、固定溝の底面側に開口する複数のフックを有する面ファスナーを固着し、他方、第１及び第２表皮材の端部に前記フックと係合可能な複数のループを設けたことにより、第１及び第２表皮材の端部を固定溝に挿入する際は、ループがフックと係合せず、挿入が円滑に行われる一方、一旦、第１及び第２表皮材の端部を固定溝に挿入した後に、第１又は第２表皮材の端部を固定溝から引き抜こうとする場合、ループがフックと係合するため、第１又は第２表皮材の端部は固定溝から簡単には外れない。そのため、本考案の表皮材固定構造では表皮材の固定力が高い。また、第１表皮材と第２表皮材はそれぞれ連結糸などで連結されておらず、それぞれ独立して固定溝から取り出すことができるので、例えば一方の表被材を残したまま他方の表皮材を交換したいときなどは簡単にその作業を行うことができる。さらに、固定溝内で第１表皮材の端部と第２表皮材の端部とが面接触するように設計することにより、固定溝の幅を狭くすることができ、この場合、第１表皮材と第２表皮材の接合部がすっきりした外観となる。
【図面の簡単な説明】
【００１９】
【図１】図１は、本考案の一実施形態に係る表皮材固定構造が適用される発泡成形体の一例である自動車用の座席を示す斜視図である。
【図２】図２は、図１のＡ−Ａ線に沿う右方の固定溝の矢視断面部分説明図であり、固定溝内に第１表皮材の端部と第２表皮材の端部とがそれぞれ固定された状態を示す。
【図３】図３は、固定溝内に第２表皮材の端部のみが存在する状態を示す図２と同様の断面説明図である。
【図４】図４は、図２の固定状態にある第１又は第２表皮材の端部を固定溝から引き剥がすための、本考案の一実施形態に係る表皮材剥がし治具を示す側面図である。
【図５】図５は、図４の表皮材剥がし治具の使用状態を示す断面説明図である。
【図６】図６は、本考案の第２実施形態に係る表皮材剥がし治具の側面図である。
【図７】図７は、図６の表皮材剥がし治具を固定溝に挿入する直前の状態を示す断面説明図である。
【図８】図８は、図６の表皮材剥がし治具を固定溝に挿入した状態を示す断面説明図である。
【図９】図９は、図６の表皮材剥がし治具を図８の状態から更に押し込んだ状態を示す断面説明図である。
【図１０】図１０は、図６の表皮材剥がし治具で第１表皮材を取り外した状態を示す断面説明図である。
【図１１】図１１は、フックを拡大して示す側面図である。
【考案を実施するための形態】
【００２０】
以下、本考案の実施形態を図面を参照しつつ説明するが、本考案はそのような実施形態に限定されるものではなく、実用新案登録請求の範囲及び均等の範囲内で適宜変更等が可能である。図１は、本考案の一実施形態に係る表皮材固定構造が適用される発泡成形体の一例である自動車用の座席１を示す斜視図である。座席１は、座部２と、座部２に対し角度調節ができる背もたれ部３と、背もたれ部３の上部に取り付けられた頭支え部４とを備える。座部２、背もたれ部３及び頭支え部４はいずれも、発泡性樹脂から成形された発泡成形体であるクッション体１０（図２等に部分的に示される）の外表面に後述する表皮材２０ａ、２０ｂを被覆してなる。表皮材２０ａ、２０ｂは、例えば、天然皮革、合成皮革、人造皮革、ビニール等からなるが、これらに限定するものではない。以下に詳述するように、座部２及び背もたれ部３のクッション体１０は、２種類の表皮材、すなわち、第１表皮材２０ａと、第１表皮材２０ａとは色、素材、表面形態等が異なる第２表皮材２０ｂとにより覆われている。本実施形態では、一例として、第１表皮材２０ａを赤色、第２表皮材２０ｂを黒色のものとするが、これに限定されるものではない。また、座部２及び背もたれ部３において、第１及び第２表皮材２０ａ、２０ｂは連結糸やその他接着剤などの固定手段によって固定されておらず、それぞれが単独で取り外し可能にクッション体１０に固定される。これにより、例えば、赤い第１表皮材２０ａを取り外して洗濯した後、再度取り付けたり、新品の同じ赤い第１表皮材２０ａもしくは別の色等の別の表皮材に取り替えることが可能となる。なお、赤い第１表皮材２０ａのみを取り外し可能にすることも可能である。本実施形態において、頭支え部４のクッション体１０は、黒の第２表皮材のみで覆われているが、頭支え部４に本考案の表皮材固定構造を適用して、複数種類の表皮材で覆うようにしてもよい。
【００２１】
以下、図１について、前方は座席１に座ったユーザが見るフロント側をいい、後方は前方とは逆のリア側をいう。また、左右は、説明の便宜のため、座席１に座ったユーザから見た左右とは逆をいうものとする。図１に例示する座席１の座部２のクッション体１０は、表皮材２０ａ、２０ｂにより覆われる外表面として、上面５と、前方から湾曲しつつ左右へと延びる側面６とを有する。上面５は、ユーザが実質的に座る領域であって、上面５の前後方向全域にわたる、ほぼ矩形の主領域５ａと、主領域５ａの左右両脇の脇領域５ｂとに分けられる。本実施形態では、一例として、上面５における主領域５ａを赤い第１表皮材２０ａが覆っており、かつ、上面５の左右の脇領域５ｂ及び側面６を一体の第２表皮材２０ｂが覆っているものとする。そのため、座部２において、第１表皮材２０ａと第２表皮材２０ｂは、主領域５ａと左右の脇領域５ｂそれぞれとの境界５ｃで隣接する他、主領域５ａの前端と側面６との境界５ｄでも接する。本実施形態では、以下に述べるように、本考案の表皮材固定構造を境界５ｃにのみ適用し、ここで第１及び第２表皮材２０ａ、２０ｂの隣接部を固定するが、境界５ｄにも適用することができる。
【００２２】
座部２のクッション体１０の上面５における主領域５ａと左右の脇領域５ｂそれぞれとの境界５ｃには、クッション体１０の発泡成形時に固定溝３０が境界５ｃの全域に沿ってそれぞれ形成される。各固定溝３０は、座部２０の上面５の前端から後端へと直線状に延びる。なお、本考案の表皮材固定構造は、直線状の固定溝３０のみならず湾曲状の固定溝（図示せず）にも適用可能である。第１及び第２表皮材２０ａ、２０ｂは、固定溝３０に対応する端部が固定溝３０内に挿入され、詳しくは後述するが、固定溝３０に取り付けた面ファスナー４０により取り外し可能に固定される。これにより、第１及び第２表皮材２０ａ、２０ｂは、座部２の上面５の左右の固定溝３０それぞれで接合される。本実施形態において、第１及び第２表皮材２０ａ、２０ｂの固定溝３０に対応する端部以外の端部、例えば、第１表皮材２０ａの前後端等は、周知の固定手段、例えば、スナップボタン、固定溝３０を用いない面ファスナー、バックル、フック等によってクッション体１０等に取り外し可能に固定される。以上は座席１の座部２について説明したが、背もたれ部３のクッション体１０においても、第１及び第２表皮材２０ａ、２０ｂの隣接部を固定するための固定溝３０が左右に上下方向に沿って設けられている。これら固定溝３０は、背もたれ部３の下端から上方へと上下方向全長の約２／３程度延びている。この背もたれ部３における固定溝３０での第１及び第２表皮材２０ａ、２０ｂの固定は、座部２での固定と実質上同じであるため、以下、座部２についてのみ説明し、背もたれ部３については説明を省略する。
【００２３】
図２は、図１のＡ−Ａ線に沿う右方の固定溝３０の矢視断面部分説明図であり、固定溝３０内に第１表皮材２０ａの端部２１ａと第２表皮材２０ｂの端部２１ｂとがそれぞれ固定された状態を示す。図３は、固定溝３０内に第２表示材２０ｂの端部２１ｂのみが存在している状態を示す図２と同様の説明図である。なお、本考案の説明において、第１表皮材２０ａにおける固定溝３０に挿入する部分を、第１表皮材２０ａの端部２１ａと呼び、第２表皮材２０ｂにおける固定溝３０に挿入する部分を、第２表皮材２０ｂの端部２１ｂと呼ぶ。固定溝３０は、上方に開放する断面が矩形の溝であり、互いに向かい合う第１及び第２側面としての平行な左右の側面３１と、これら側面３１の下端間を連結する底面３２とを有する。固定溝３０は、発泡性樹脂からクッション体１０を成形する際に形成される。
【００２４】
面ファスナー４０は、固定溝３０の左方の側面３１に対応する第１面ファスナー４１と、右方の側面３１に対応する第２面ファスナー４２と、第１及び第２面ファスナー４１、４２の各下端間を連結する、固定溝３０の底面３２に対応する連結部４３とを一体に備える。第１面ファスナー４１は、第１基部４１ａと、第１基部４１ａから第２面ファスナー４２側に突出する多数の第１フック４４ａとを含む。第１フック４４ａは、図１１に拡大して示すように、第１基部４１ａから延びるフック基部４４ｃと、フック基部４４ｃから
固定溝３０の底面３２に向かって延びるフック頭部４４ｄとを有する。そのため、各第１フック４４ａは、下方に開口するように配向されていると言える。なお、後述する第１フック４４ａ以外のフックである第２フック４４ａ、第１及び第２治具フック６３ａ、６３ｂも図１１に示すフック基部４４ｃとフック頭部４４ｄを有するが、これらフック４４ａ、６３ａ、６３ｂのフック頭部４４ｄが延びる方向がそれぞれに設定される。第２面ファスナー４２も同様に、第２基部４２ａと、第２基部４２ａから第１面ファスナー４１側に突出する多数の第２フック４４ｂとを含む。第２フック４４ｂは第１フック４４ａと同じものであり、フック頭部が底面３２にのみ向かって延び、下方に開口する。このような面ファスナー４０は、例えば、次のようにしてクッション体１０の成形時に固定溝３０を形成するために使用することができる。すなわち、座部２のクッション体１０を発泡成形する際、成形型のキャビティの、座部２の上面５に対応する面上の所定位置（境界５ｃに対応する位置）で面ファスナー４０を、第１及び第２基部４２ａ、４２ｂが互いに平行となるように保持した後、キャビティに発泡性樹脂を充填する。これにより、面ファスナー４０が一体的に固着された状態の固定溝３０が面ファスナー４０の外部に形成される。なお、この発泡成形時において、固定溝３０の長手方向に沿って複数の面ファスナー４０を使用することができる。これにより、固定溝３０が直線状ではなく湾曲していても面ファスナー４０を柔軟に対応させることが可能となる。以上のように発泡成形時に面ファスナー４０を使用して固定溝３０を形成することにより、固定溝３０に固着された面ファスナー４０を得る方法については、本出願人の出願に係るＰＣＴ／ＪＰ２０１４／０５６７５４に記載されている。第１及び第２フック４４ａ、４４ｂは上下の壁４９間に設けられ、第１及び第２フック４４ａ、４４ｂの突出高さは、本例において壁４９と同じに設定される。なお、第１及び第２フック４４ａ、４４ｂの突出高さは、壁４９よりも低くてもよい。このような上下の壁４９は前後にも適宜設けることができる。面ファスナー４０は、固定溝３０の長手方向（前後方向）の全長にわたって設けられる。
【００２５】
各表皮材２０ａ、２０ｂは主表面が外部に露呈する表面と、表面とは反対側にあってクッション体１０の表面に対向する裏面とを備えている。第１表皮材２０ａの端部２１ａの裏面には、第１面ファスナー４１の第１フック４４ａと係合可能な多数の第１ループ４５ａが次のようにして設けられている。すなわち、多数の第１ループ４５ａが事前に埋め込まれた基部４６ａが第１表皮材２０ａの端部２１ａの裏面に縫合等により取り付けられる。第２表皮材２０ｂの端部２１ｂの裏面にも、第２フック４４ｂと係合可能な多数の第２ループ４５ｂを有する基部４６ｂが同様に固定されている。図２の例では、第１及び第２ループ４５ａ、４５ｂ及び基部４６ａ、４６ｂは、第１及び第２表皮材２０ａ、２０ｂの端部２１ａ、２１ｂの裏面にのみ設けられているが、第１及び第２ループ及び基部は、図７等を参照して後述するように、第１及び第２表皮材２０ａ、２０ｂの端部２１ａ、２１ｂの裏面の末端から表面へと一部折り返される場合もある。
【００２６】
図２は、第１及び第２表皮材２０ａ、２０ｂが固定溝３０で固定された状態である。この状態において、第１及び第２表皮材２０ａ、２０ｂの端部２１ａ、２１ｂが固定溝３０内に挿入され、それぞれの第１及び第２ループ４５ａ、４５ｂが第１及び第２面ファスナー４１ａ、４１ｂの第１及び第２フック４４ａ、４４ｂにそれぞれ係合している。第１及び第２フック４４ａ、４４ｂはすべて下方に開口しているので、第１及び第２表皮材２０ａ、２０ｂの端部２１ａ、２１ｂを固定溝３０に挿入する際は、第１及び第２ループ４５ａ、４５ｂが第１及び第２フック４４ａ、４４ｂに係合することなく、端部２１ａ、２１ｂの末端を底面３２付近まで押し込むことができる。その一方、一旦、第１及び第２表皮材２０ａ、２０ｂの端部２１ａ、２１ｂが固定溝３０内に挿入された後に（図２参照）、第１又は第２表皮材２０ａ、２０ｂの端部２１ａ、２１ｂを固定溝３０から抜き抜こうとしても、第１又は第２ループ４５ａ、４５ｂが第１又は第２フック４４ａ、４４ｂに係合するため、容易には抜けない。そのため、第１又は第２表皮材２０ａ、２０ｂの端部２１ａ、２１ｂを固定溝３０から引き抜く場合、後述する表皮材剥がし治具５０、６０（図４、６等参照）を使用することが便利である。また、図２の固定状態において、第１表皮材２０ａの端部２１ａの表面と第２表皮材２０ｂの端部２１ｂの表面とは固定溝３０内で互いに面接触している。このように、第１表皮材２０ａの端部２１ｂの表面と第２表皮材２０ｂの端部２１ｂの表面とが接するように固定溝３０を設計することにより、固定溝３０の幅（図２の紙面に基づく左右間隔）を極力小さくすることができる。
【００２７】
図３は、固定溝３０内に第２表皮材２０ｂの端部２１ｂのみが存在する状態を示す。すなわち、図３の状態は、図２の状態から第１表皮材２０ａの端部２１ａを固定溝３０から引き抜いた状態か、又は、固定溝３０に先に第２表皮材２０ｂの端部２１ｂを固定した状態であって、これから第１表皮材２０ａの端部２１ａを挿入する時点を示す。
【００２８】
図４は、図２の固定状態にある第１又は第２表皮材２０ａ、２０ｂの端部２１ａ、２１ｂを固定溝３０から引き剥がすための、本考案の一実施形態に係る表皮材剥がし治具（以下、単に「治具」ともいう。）５０を示す側面図である。図５は治具５０の使用状態を示す断面説明図である。治具５０は、ユーザやディーラ等が把持する取手５１と、取手５１から下方に延び、固定溝３０内の第１及び第２表皮材２０ａ、２０ｂの端部２１ａ、２１ｂの表面間に挿入するための板状の治具基部５２と、固定溝３０内の第１又は第２表皮材２０ａ、２０ｂの端部２１ａ、２１ｂの裏面とこの裏面に対面する第１又は第２面ファスナー４１、４２との間に挿入するための板状のループ剥がし部５３と、治具基部５２の下端とループ剥がし部５３の下端とを連結する板状のガイド部５４とを備える。治具５０は、その前方（図４紙面右方）の下端すなわちガイド部５４の前端を固定溝３０にその長手方向一端から挿入し、固定溝３０に沿ってその長手方向他端へと図４の矢印方向にスライド移動させるように使用される。
【００２９】
以下の治具５０の説明において、図４の紙面右側（スライド方向）を前方、左側を後方とする。ガイド部５４の幅は、固定溝３０の第１面ファスナー４１の第１フック４４ａの頂点と第２面ファスナー４２の第２フック４４ｂの頂点との間の間隔の約１／２程度の幅を有する。また、ガイド部５４は、前半の水平部５４ａと、水平部５４ａから後方かつ上方へとなだらかに湾曲して終端する湾曲部５４ｂとを有する。湾曲部５４ｂに繋がる治具基部５２及びループ剥がし部５３の各下端辺も湾曲部５４と同様の形状である。治具基部５２は、ガイド部５４の前端と同じ前後方向位置にて上下方向に沿う前端辺５２ａと、前端辺５２ａの上端から後方へと水平に延び、取手５１が接続される水平上端辺５２ｂと、水平上端辺５２ｂの後端からガイド部５４の後端へと下方に直線状に傾斜する傾斜上端辺５２ｃとを有する。ループ剥がし部５３は、ガイド部５４の前端から上方かつ後方へと湾曲した後、ガイド部５４の後端へと水平に延びる上端辺５３ａを有する。ループ剥がし部５３の上端辺５３ａの形状は、ガイド部５４の形状とほぼ対称であると言える。治具基部５２の最大高さ、すなわち、ガイド部５４の水平部５４ａから治具基部５２の水平上端辺５２ｂまでの間隔は、固定溝３０の深さ（上下方向長さ）を超えるように設定される。また、ループ剥がし部５３の最大高さ、すなわち、ガイド部５４の水平部５４ａとループ剥がし部５３の上端辺５３ａの後半の水平部分との間の上下方向に沿う間隔は、固定溝３０の深さ未満に設定される。
【００３０】
次に、図１の座席１の座部２の右側の固定溝３０に治具５０を適用して第１表皮材２０ａを引き剥がす例について説明する。この場合、ユーザが治具５０の取手５１を持ち、ガイド部５４の前端を図１右側の固定溝３０の長手方向後端に突き合わせる。この際、座席１の背もたれ部３を後方に傾けることが望ましいかもしれない。次いで、ガイド部５４の前端を第１表皮材２０ａの端部２１ａの末端に潜らせつつ、固定溝３０内の第１及び第２表皮材２０ａ、２０ｂの端部２１ａ、２１ｂの表面間に治具基部５２を挿入すると共に、固定溝３０内の第１表皮材２０ａの端部２１ａの裏面と第１面ファスナー４１との間にループ剥がし部５３を挿入する（図５参照）。この状態を維持したまま、治具５０を固定溝３０に沿ってその長手方向前端へとスライドさせ、該前端から治具５０を固定溝３０外に出す。この際、第１面ファスナー４１の第１フック４４ａと第１表皮材２０ａの端部２１ａの裏面の第１ループ４５ａとの間の係合が固定溝３０の長手方向後端から前端へと治具５０のループ剥がし部５３によって連続的に解かれる。更に、第１面ファスナー４１から引き離された第１表皮材２０ａの端部２１ａは治具５０のガイド部５４の湾曲部５４ｂによって持ち上げられ、そのまま固定溝３０の外部へと案内される。このようにして、第１表示材２０ａの端部２１ａが固定溝３０から引き剥がされる。なお、以上の説明では、固定溝３０内に第１及び第２表皮材２０ａ、２０ｂが固定された状態から治具５０により第１表皮材２０ａを引き剥がす例を挙げたが、例えば、図１右側の固定溝３０の長手方向前端から後端へと治具５０を適用することにより、第２表皮２０ｂを引き剥がすことができる。また、固定溝３０内に第１及び第２表皮材２０ａ、２０ｂの一方のみが存在する場合であっても（図３参照）、治具５０を用いて、その一方の表皮材を固定溝３０から同様に取り外すことができる。なお、図示はしないが、一つの治具基部５２の両側に、ループ剥がし部５３及びガイド部５４をそれぞれ設けることにより、第１及び第２表皮材２０ａ、２０ｂの両方を該治具により一度で固定溝３０から取り外すことが可能となる。
【００３１】
次に、図６〜１０に基づき、本考案の第２実施形態に係る表皮材剥がし治具６０を説明する。図６は治具６０の側面図であり、図７は、固定溝３０に挿入直前にある治具６０の正面図を示す。治具６０は、治具５０のように固定溝３０に沿ってスライドさせるものではなく、固定溝３０の長手方向の一地点において固定溝３０に挿入し、次いで同地点で引き抜くように使用するものである。従って、治具６０の挿入方向は、固定溝３０の上方の開放部から固定溝３０の底面３２へと向かう方向である。治具６０を使用する前提として、固定溝３０に固定される第１及び第２表皮材２０ａ、２０ｂの端部２１ａ、２１ｂは、次の点が図２に基づいて上述した端部２１ａ、２１ｂと異なっている。すなわち、第１及び第２表皮材２０ａ、２０ｂの端部２１ａ、２１ｂには、それぞれの裏面に第１及び第２ループ４５ａ、４５ｂが設けられているのみならず、それぞれの表面の端部２１ａ、２１ｂの末端側領域にも取り外し用のループ４５ｃ、４５ｄが設けられている。これは、例えば、第１及び第２ループ４５ａ、４５ｂが事前に埋め込まれた第１及び第２基部４６ａ、４６ｂを、第１及び第２表皮材２０ａ、２０ｂの端部２１ａ、２１ｂの裏面の末端から表面へと一部折り返した後、端部２１ａ、２１ｂに縫合等することにより実現される。なお、図７〜１０では、治具６０の使用状態の説明を分かり易くするため、固定溝３０内の第１及び第２表皮材２０ａ、２０ｂの端部２１ａ、２１ｂの表面間が離れているが、実際は、図２と同様に端部２１ａ、２１ｂの表面は面接している。そのため、図７等の固定溝３０の幅は図２と実質的に同じである。
【００３２】
図６及び７を参照して、治具６０は、ユーザやディーラ等が把持する取手６１と、取手６１から下方に延び、固定溝３０内の第１及び第２表皮材２０ａ、２０ｂの端部２１ａ、２１ｂの表面間に挿入するための矩形板状の治具基部６２とを備える。治具基部６２は、その一面の下端（挿入端）側に、取り外し用の複数のフック６３が設けられたフック配置領域６４を有する。フック配置領域６４の上下方向長さは、第１及び第２表皮材２０ａ、２０ｂの端部２１ａ、２１ｂの表面におけるループ４５ｃ、４５ｄが設けられた領域（以下「ループ配置領域」という。）の（固定溝３０内における）上下方向長さとほぼ等しくなるように設定される。治具６０の使用時において、治具基部６２のフック配置領域６４は、第１又は第２表皮材２０ａ、２０ｂの端部２１ａ、２１ｂの表面におけるループ配置領域に対面させられる。フック配置領域６４におけるフック６３は、次の２つのタイプに分けられる。第１のタイプは、第１又は第２表皮材２０ａ、２０ｂの端部２１ａ、２１ｂの裏面の第１又は第２ループ４５ａ、４５ｂと第１又は第２面ファスナー４１、４２の第１又は第２フック４４ａ、４４ｂとの係合を解くための第１治具フック６３ａである。第１治具フック６３ａは、フック基部からフック頭部が上方（治具挿入方向の反対側）に向かって延び、上方に開口するように配向される。また、第１治具フック６３ａは、フック配置領域６４の下端側に設けられる。第２のタイプは、第１治具フック６３ａにより第１又は第２面ファスナー４１、４２の第１又は第２フック４４ａ、４４ｂから第１又は第２ループ４５ａ、４５ｂが係合解除された第１又は第２表皮材２０ａ、２０ｂの端部２１ａ、２１ｂを固定溝３０から引き抜くための第２治具フック６３ｂである。第２治具フック６３ｂは、フック基部からフック頭部が下方（治具挿入方向）に向かって延び、下方に開口するように配向される。また、第２治具フック６３ｂは、フック配置領域６４の上端側に設けられる。本実施形態において、図６に示すように、第１治具フック６３ａは、フック配置領域６４の下端側に上下２列で配置され、第２治具フック６３ｂは、フック配置領域６４の上端側に上下１列で配置される。また、第１及び第２治具フック６３ａ、６３ｂはいずれも図６紙面左右方向に一例として四つ設けられる。
【００３３】
次に、図７に示す固定溝３０に固定された状態の第１及び第２表皮材２０ａ、２０ｂのうち、治具６０を用いて第１表皮材２０ａを引き剥がす例について説明する。まず、ユーザが治具６０の取手６１を持ち、治具本体６２を固定溝３０にその底面３２に向かって挿入する。この挿入時において、治具本体６２のフック配置領域６４の下端側の第１治具フック６３ａは上方に開口するため、第１表皮材２０ａの端部２１ａの表面におけるループ領域のループ４５ｃと係合することなく、固定溝３０内を奥（底面３２側）へと進む。そして、フック配置領域６４の下端がループ領域の下端もしくは第１表皮材２０ａの端部２１ａの末端とほぼ同じ上下方向位置に到達する辺りで、図８に示すように、フック配置領域６４の上端側の、下方に開口する第２治具フック６３ｂがループ領域の上端側のループ４５ｃと係合し、これにより、治具本体６２の固定溝３０の奥への挿入にブレーキがかかる。ここからユーザが取手６１を介して治具本体６２を固定溝３０の更に奥へと押し込むことにより、図９に示すように、第２治具フック６３ｂがループ４５ｃとの係合を介して第１表皮材２０ａの端部２１ａを固定溝３０の底面３２付近まで押し下げる。これにより、第１表皮材２０ａの端部２１ａの裏面にある第１ループ４５ａが第１面ファスナー４１の第１フック４４から係合解除される。この状態から取手６１を介して治具本体６２を固定溝３０から引き抜くことにより、図１０に示すように第１表皮材２０ａの端部２１ａが固定溝３０から引き剥がされる。なお、この治具６０を利用する場合、一旦表皮材を下方に下げ、フックからループを外す工程が必要となるため、固定溝３０にはその空間が必要となる。すなわち、面ファスナー４０の最も固定溝３０の底面３２側に形成されたフックと固定溝の底面３２の間には、治具６０を押し下げて表皮材のループを面ファスナー４０のフックから取り外すことができるだけの空間がある。このような構成とすることで、フックからループを好適に取り外すことが可能となる。
【符号の説明】
【００３４】
１  座席
２  座部
１０  クッション体（発泡成形体）
２０ａ  第１表皮材
２０ｂ  第２表皮材
２１ａ  第１表皮材の端部
２１ｂ  第２表皮材の端部
３０  固定溝
３１  固定溝の側面（第１及び第２側面）
３２  固定溝の底面
４０  面ファスナー
４１  第１面ファスナー
４２  第２面ファスナー
４４ａ  第１フック
４４ｂ  第２フック
４４ｃ  フック基部
４４ｄ  フック頭部
４５ａ  第１ループ
４５ｂ  第２ループ
４５ｃ、４５ｄ  取り外し用のループ
５０、６０  表皮材剥がし治具
５１、６１  取手
５２、６２  治具基部
５３  ループ剥がし部
５４  ガイド部
６３ａ  第１治具フック
６３ｂ  第２治具フック
６４  フック配置領域
【図１１】
0003199332.tif 000003
【図１】
0003199332.tif 000004
【図２】
0003199332.tif 000005
【図３】
0003199332.tif 000006
【図４】
0003199332.tif 000007
【図５】
0003199332.tif 000008
【図６】
0003199332.tif 000009
【図７】
0003199332.tif 000010
【図８】
0003199332.tif 000011
【図９】
0003199332.tif 000012
【図１０】
0003199332.tif 000013
【手続補正書】
【提出日】平成27年6月15日(2015.6.15)
【手続補正１】
【補正対象書類名】実用新案登録請求の範囲
【補正対象項目名】請求項６
【補正方法】変更
【補正の内容】
【請求項６】
請求項１に記載の表皮材固定構造によって固定された状態の前記第１及び第２表皮材（２０ａ、２０ｂ）の少なくとも一方を取り外すための表皮材剥がし治具（５０）であって、
前記固定溝（３０）内の第１表皮材（２０ａ）の端部（２１ａ）と第２表皮材（２０ｂ）の端部（２１ｂ）の間で、固定溝（３０）の長手方向に沿ってスライド移動可能である板状の治具基部（５２）と、前記固定溝（３０）内の第１又は第２表皮材（２０ａ、２０ｂ）の端部（２１ａ、２１ｂ）と、この端部（２１ａ、２１ｂ）のループ（４５ａ、４５ｂ）に係合する前記面ファスナー（４１、４２）のフック（４４ａ、４４ｂ）との間に挿入可能である板状のループ剥がし部（５３）と、前記治具基部（５２）の下端とループ剥がし部（５３）の下端とを連結し、ループ剥がし部（５３）によって面ファスナー（４１、４２）から剥がされた第１又は第２表皮材（２０ａ、２０ｂ）の端部（２１ａ、２１ｂ）を固定溝（３０）外に案内する板状のガイド部（５４）とを備えることを特徴とする表皮材剥がし治具。